(57)【要約】【課題】  消火ポンプの制御装置の記憶部に不揮発性メモリを用いて、復電時にポンプ再運転を行うのに好適な制御装置を提供する。【解決手段】  消火ポンプを駆動するモータ８０は、基板１００上に装備されるＣＰＵ１１０により制御される。ＣＰＵ１１０に接続されるメモリ１７０は、不揮発性メモリで構成され、ポンプの運転状態を記憶する。停電後に復電したときに、メモリをチェックしてポンプが運転状態であったことを示すデータが書き込まれていたら、始動指令がなくてもポンプを再運転する。【選択図】        図１
2005278913.tif 000002
【特許請求の範囲】
【請求項１】
消化ポンプの制御装置であって、中央処理装置に接続される不揮発生メモリを備え、不揮発性メモリは、消火ポンプの運転状態を記憶し、停電あるいは電源断の復帰時、復帰前に運転状態にあった場合は運転指令信号が入力されていなくても消化ポンプをそのまま運転させる機能を備える消火ポンプの制御装置。
【請求項２】
不揮発性メモリは、消火ポンプ呼水槽の異常状態を記憶し、停電あるいは電源断の復帰時、復帰前に運転状態にあった場合は異常状態信号が入力されていなくてもそのまま異常状態を警報させる機能を備える請求項１記載の消火ポンプの制御装置。
【発明の詳細な説明】
【技術分野】
【０００１】
本発明は不揮発性メモリ（例えばＥＥＰＲＯＭ）を記憶部に用いて、停電あるいは電源断の前に運転状態を記憶し、復電時に再運転を行うのに好適な消火ポンプの制御装置に関する。
【背景技術】
【０００２】
消火ポンプは火災時に火災検知器あるいは人為的な操作によって、速やかに運転され給水されなければならない。又、運転中に停電あるいは電源断となり復電した場合には、始動指令がなくても、即、運転を継続されなければならない。さらに火災によって常用電源がダウンし、非常電源に切り替わった場合も、切り替わる前に消火ポンプが運転されていれば同様に再運転されなければならない。
【０００３】
従来例を図５、図６により説明する。図５は消火ポンプシステム系統図である。１は消火水槽、２は消火ポンプ、３は同消火ポンプに呼水槽（呼び水配管３ａ、逆止め弁３ｂを介して送水し消火ポンプ２、吸込管２ａ内の空気を除去し、満水状態とし常にポンプが始動できる準備をしておく。）４は送水管、５は消火栓、５ａは火災発生時にポンプを始動させるための始動スイッチであり、この信号は始動リレー７に送られ、ここから消火ポンプ制御装置６に前述の信号が送られる。これによって消火ポンプ２が始動し、送水配管に送水される。８は火災受信盤であり、始動スイッチ５ａが操作されなくても火災時に火災検知器８ａが作動すると自動的に信号を入力し、始動リレー盤７に対して消火ポンプ２を始動する指令を発する。９は常用電源と非常電源とを切りかえるための切り替え盤である。
【０００４】
図６は消火ポンプ制御装置の制御回路を示す。ここで、Ｒ、Ｓ、Ｔは常用電源、ＭＣＢは配線用遮断器、５２は消火ポンプ２駆動用の電磁継電器、４９はサマールリレー、ＢＳは消火ポンプ始動スイッチ、ＢＳＳは同停止スイッチ、５２Ｋは機械的保持ができるキープリレー、ＳＴＸは始動リレー７からの始動信号Ｓ１、１０端子に受けて付勢するリレー、又、ＲＣ、Ｓ１端子は前記始動リレー７への電源端子である。Ｅ１、Ｅ２は呼水槽３の減水位を検出する水位検出手段、ＷＦはそのリレーである。
【０００５】
手動操作による始動方法を説明すると、先ず始動スイッチＢＳを押すとキープリレー５２ＫのＳＥＴ側が励磁し、その接点が閉じる。これが閉じると電磁継電器５２が付勢し消火ポンプ２が始動する。同ポンプが運転している際に、停電あるいは電源断となると同ポンプは停止する。但し、キープリレー５２Ｋの接点は機械的な保持接点のため閉じたままになっている。この状態で常用電源が復電あるいは電源が再投入されると始動スイッチＢＳを操作しなくても前述のキープリレーの接点は閉じたままになっているためポンプは再び運転する。この状態で、停止スイッチＢＳＳを押すとキープリレー５２ＫのＲＥＳＥＴ側が励磁し、その接点が開き電磁継電器５２の付勢がとけ同ポンプは停止する。
【０００６】
次にもう一つの始動方法について説明する。始動リレー７から始動指令信号は端子Ｓ１、１０に送信されてくるとリレーＳＴＸが付勢し、その接点が閉じてキープリレー５２ＫのＳＥＴ側が励磁し前述同様に消火ポンプ２が始動する。
【発明の開示】
【発明が解決しようとする課題】
【０００７】
最近、エレクトロニクスの発展によって量産化が実現し、一層の低価格化が図れる可能性が高まってきており、消火ポンプ制御装置も電子化され始めている。しかし、消火ポンプ制御装置には、従来技術で述べた機械的保持接点を有するキープリレーが必要であり、電子化してマイコンやＩＣを使用してプリント配線板で回路を構成した場合も同プリント配線板の同類のキープリレーが必要である。これの価格が高くコストダウンの障害となっている。又、このリレーの消費電力が高く、プリント配線板内の電源回路を高くする要因となっている。さらに、従来技術での説明は省いたが呼水槽の減水位が作動し警報が出ていても停電や電源断となった際には復電してもこの警報が出ないと言う課題があった。そこで、本発明はキープリレーを使用せず、記憶部に不揮発性のメモリ（例えばＥＥＰＲＯＭ）を用いて電子回路を構成し、電源復帰後も復帰前にポンプが運転している状態であれば再運転し、あるいは警報がでていれば再警報を再出力するよう改良した消火ポンプの制御装置を提供することを目的とする。
【課題を解決するための手段】
【０００８】
このような目的を達成するために本発明は、従来のキープリレーに代えて不揮発性のメモリ（例えばＥＥＰＲＯＭ）を用いて電子回路を構成する。
（作用）
【０００９】
１）不揮発性のメモリに例えば、ポンプ運転状態のデータ、呼水槽減水位状態のデータ等を記憶させる領域を予め準備しておく。
２）初期設定でＲＡＭ等他のデータはクリアしても１）のデータのみクリアしない。
３）ポンプの始動条件が確立し、運転したらポンプの運転状態を格納するメモリ（不揮発性）に運転している状態であることを意味するデータを書き込む。同様に呼水槽の減水位が発生したら減水位状態を格納するメモリ（不揮発性）に減水位状態であることを意味するデータを書き込む。
４）停電あるいは電源断後、復電したら最初の作動で３）のメモリをチエックし、運転している状態であるデータ書き込まれていたら、始動指令がなくてもポンプを再運転する。減水位状態でなくても、メモリに減水位状態を示すデータが書き込まれていたら減水位警報を出す。
【発明の効果】
【００１０】
以上説明したように、本発明によればキープリレーの代わり不揮発性のメモリを記憶部に用いて、停電あるいは電源断に前ポンプが運転していれば再運転でき、減水警報がでていれば再減水警報出力することができ、これによって顕著なコストダウンを実現できる効果がある。
【発明を実施するための最良の形態】
【００１１】
以下、本発明の実施例を図１〜図４により説明する。
【００１２】
図１は本発明実施例の消火ポンプ制御装置の制御回路を示す。Ｒ、Ｓ、Ｔは通常電源、ＭＣＢは配線用遮断器、ＣＴは電流検出手段、５２は電磁継電器、５２ａはその動力側接点、ＩＭは消火ポンプを駆動するモーター８０、Ｒ、Ｓは制御電源母線、ＳＳは始動停止スイッチ、Ｓ１、１０は始動リレーからの始動指令入力端子、ＲＣ、Ｓ１は同始動リレーの電源端子、Ｅは呼水槽水位検出手段２００、ＣＵ１００はマイコンＣＰＵ１１０、表示部Ｄ１２０、入出力部Ｉ／Ｏ（１３０）、Ｉ／Ｏ−２（１４０）、Ｉ／Ｏ−３（１５０）、アナログ入力部Ａ／Ｄ１６０、不揮発性メモリＭ１７０からなる電子回路部でありプリント配線板である。図４は、不揮発性メモリＭに予め予約してあるメモリ領域を示す。ネームのＭＳＳには、始動停止スイッチＳＳあるいは始動リレーからの始動指令入力端子Ｓ１、１０の信号を読み込み記憶させる。同様にネームのＭＲＵＮには、消火ポンプ運転状態のデータ、ネームのＧＥＮには水位検出手段のデータ、ネームのＭＧＥＮには、減水警報状態を示すデータを書き込んでいる。
【００１３】
図２、図３は前述した消火ポンプ制御装置を作動させるための制御手順を示したフローチャートであり、マイコンＣＰＵ１１０の内部ロムに予めプログラムとして格納されている。図４は、不揮発性メモリの内容を示す説明図である。
【００１４】
以上のように構成したものの詳細を説明する。図２において、ステップＳ４００でマイコンのレジスタ、ポインター、タイマー割り込み処理等の初期設定を実施し、メモリのＲＡＭは０クリアするが、図４に示す不揮発性のメモリのＭＲＵＮ、ＭＧＥＮはクリアしない。ステップＳ４０１では割り込みを許可しステップＳ４０２で図３に示す割り込み処理がかかるようにタイミングをとる処理を実行する。この状態で割り込みが発生し、図３の処理へ移行する。
【００１５】
ステップＳ５０２でスイッチはＯＮしているか否か判定しＯＮしていればステップＳ５０３で不揮発性メモリＭＳＳに０ＦＦＨをＯＦＦしていればステップＳ５０４で００Ｈを書き込み、ステップＳ５０５へ進む。ここでＳ１、１０端子に始動指令があったか判定し、あれば次のステップＳ５０６、ステップＳ５０７でＭＳＳに０ＦＦＨを書き込む。なければステップＳ５０８へ進み、電流検出手段ＣＴより読み込んだデータをＲＡＭに格納する。ステップＳ５０９では呼水槽水位検出手段がＥ１以下か判定し、これ以下であればステップＳ５１０で不揮発性のメモリＧＥＮに０ＦＦＨをそうでなければ、ステップＳ５１１で００Ｈを書き込み、ステップＳ５１３で割り込みからステップＳ４０３に戻る。以下ステップＳ４０３以降で一定の周期で図３のタイマ割り込みがかかる。
【００１６】
ステップＳ４０３でＭＲＵＮは０ＦＦＨか判定する。ＯＦＦＨであれば停電あるいは電源断の前にポンプは運転していたことを意味するので次のステップＳ４０５でポンプ運転指令を出力する。そしてステップＳ４０６でＭＲＵＮに０ＦＦＨを書き込む。ステップＳ４０３の判定が００Ｈだった場合は、停電あるいは電源断の前にポンプは運転していなかったこと意味するので次のステップＳ４０４でＭＳＳは０ＦＦＨか判定する。ＹＥＳならばステップＳ４０５以降のポンプを始動させる処理に進み、ＮＯの場合は、停止を意味しステップＳ４０７でＭＲＵＮは０ＦＦＨか判定する。運転中であればステップＳ４０９でポンプ停止処理を実行する。そしてステップＳ４１０でＭＲＵＮに００Ｈを書き込む。ステップＳ４０７の判定の結果がＮＯであれば運転継続を意味し次のステップＳ４０８へ進む。ここでは電流表示処理を実行する。
【００１７】
この後、ステップＳ４１１へ進みここでＧＥＮは０ＦＦＨか判定する。ＹＥＳであれば、ステップＳ４１６で減水警報を出力しステップＳ４１７でＭＧＥＮに０ＦＦＨを書き込む。この後、ステップＳ４０３へ戻りこれ以降の処理をつずける。ステップＳ４１１の判定でＮＯと判定した場合はステップＳ４１２へ進みここでＭＧＥＮは０ＦＦＨか判定する。ＹＥＳであれば停電あるいは電源断の前に警報がでていたことを意味するのでステップＳ４１３で減水警報出力処理を実行する。そうでなければステップＳ４１４で減水警報をリセットし、ステップＳ４１５ＭＧＥＮを００Ｈに書き込む。この後、ステップＳ４０３に戻り、これ以降の処理を継続する。
【００１８】
このようにすると、停電あるいは電源断の前ポンプが運転していれば再運転でき、減水警報がでていれば再減水警報出力することができる。
【図面の簡単な説明】
【００１９】
【図１】本発明の消化ポンプの制御装置の回路図。
【図２】本発明の消化ポンプの制御装置のフロー図。
【図３】本発明の消化ポンプの制御装置のフロー図。
【図４】不揮発メモリの内容を示す説明図。
【図５】消化ポンプシステムの系統図。
【図６】消化ポンプの制御装置の回路図。
【符号の説明】
【００２０】
８０  消化ポンプ駆動モーター
１００  プリント配線基板
１１０  マイコンＣＰＵ
１２０  表示部
１３０  入出力部
１４０  入出力部
１５０  入出力部
１６０  アナログ入力部
１７０  不揮発メモリ
２００  呼水槽水位検出手段
【図１】
2005278913.tif 000003
【図２】
2005278913.tif 000004
【図３】
2005278913.tif 000005
【図４】
2005278913.tif 000006
【図５】
2005278913.tif 000007
【図６】
2005278913.tif 000008